(57)【特許請求の範囲】
【請求項１】
透光性基板と透明電極と発光層と金属電極とを有する電界発光表示素子と、前記電界発光表示素子の前方に配設された表示板と前記表示板を指示する指針と前記指針を回動させる指針駆動手段とを有する指示計器と、を備えた表示装置であって、
前記指示計器の前記表示板は、前記電界発光表示素子が発した光が通過する開口を有すると共に、前記電界発光表示素子の前記金属電極は、前記開口より広い領域に形成されていることを特徴とする表示装置。
【請求項２】
透光性基板と透明電極と発光層と金属電極とを有する電界発光表示素子と、前記電界発光表示素子の前方に配設された見返し部材と、表示板と前記表示板を指示する指針と前記指針を回動させる指針駆動手段とを有する指示計器と、を備えた表示装置であって、
前記見返し部材は、前記電界発光表示素子が発した光が通過する開口を有すると共に、前記電界発光表示素子の前記金属電極は、前記開口より広い領域に形成されていることを特徴とする表示装置。
【請求項３】
前記見返し部材は、前記指示計器に対応する第二の開口を有することを特徴とする請求項２に記載の表示装置。
【請求項４】
前記表示板を後方から照明する発光素子を設けたことを特徴とする請求項１または請求項２に記載の表示装置。
【請求項５】
前記電界発光表示素子は、数値表示部及び単位表示部を有することを特徴とする請求項１または請求項２に記載の表示装置。
【発明の詳細な説明】
【０００１】
【発明の属する技術分野】
本発明は、表示装置に関するものであり、特に電界発光表示素子を備えた表示装置に関するものである。
【０００２】
【従来の技術】
従来より、図１１及び図１２に示す電界発光表示素子１がある。斯かる電界発光表示素子１は日字形に配設された複数の表示セグメント２を有しており、この表示セグメント２を各々点灯または消灯させることにより数字を表示する。電界発光表示素子１は、ガラス基板３に透明電極４，有機層５，金属電極６を順次積層形成したものであり、有機層５は正孔注入層，正孔輸送層，発光層及び電子輸送層からなるものである。透明電極４，有機層５及び金属電極６は封止ガラス７により封止されている。電界発光表示素子１は透明電極４と金属電極６との間に所定電圧を印加することにより、発光層が発光し表示光Ｌが前方に発せられる。
【０００３】
【発明が解決しようとする課題】
しかしながら、金属電極６が設けられた箇所では金属電極６により太陽光等の外光ａが反射するのに対し、金属電極６がない箇所では外光ｂは封止ガラス７の前面で若干の反射があるだけであり、且つ、金属電極６が設けられた箇所と金属電極６がない箇所とでは色調が異なるため、見栄えが悪いという問題を有していた。
【０００４】
【課題を解決するための手段】
本発明は、請求項１に記載したように、透光性基板２５と透明電極２６と発光層と金属電極２９とを有する電界発光表示素子２０と、前記電界発光表示素子２０の前方に配設された表示板１２，３９と前記表示板１２，３９を指示する指針１５と前記指針１５を回動させる指針駆動手段１６とを有する指示計器１１ｂと、を備えた表示装置であって、前記指示計器１１ｂの前記表示板１２，３９は、前記電界発光表示素子２０が発した光が通過する開口２１を有すると共に、前記電界発光表示素子２０の前記金属電極２９は、前記開口２１より広い領域に形成されているものである。
【０００５】
また、本発明は、請求項２に記載したように、透光性基板２５と透明電極２６と発光層と金属電極２９とを有する電界発光表示素子２０と、前記電界発光表示素子２０の前方に配設された見返し部材４１と、表示板１２と前記表示板１２を指示する指針１５と前記指針１５を回動させる指針駆動手段１６とを有する指示計器１１ｂと、を備えた表示装置であって、前記見返し部材４１は、前記電界発光表示素子２０が発した光が通過する開口４１ｅを有すると共に、前記電界発光表示素子２０の前記金属電極２９は、前記開口４１ｅより広い領域に形成されているものである。
【０００６】
また、本発明は、請求項３に記載したように、前記見返し部材４１は、前記指示計器１１ｂに対応する第二の開口４１ｂを有するものである。
【０００７】
また、本発明は、請求項４に記載したように、前記表示板１２，３９を後方から照明する発光素子１３を設けたものである。
【０００８】
また、本発明は、請求項５に記載したように、前記電界発光表示素子２０は、数値表示部３１及び単位表示部３２を有するものである。
【０００９】
【発明の実施の形態】
以下、添付の図面に基づいて、本発明を車両用表示装置に適用した一実施形態を説明する。図１乃至図６は第一実施形態を示す図である。
８はハウジングであり、このハウジング８には後述する指示計器が収容されている。９は見返し部材であり、この見返し部材９は係止爪によりハウジング８に係止されている。１０は半透過性の透光性カバーであり、この透光性カバー１０は係止爪により見返し部材９に係止されている。透光性カバー１０は湾曲した形状となっており、後述する指示計器側に凸となっている。
【００１０】
ハウジング８には４個の指示計器、即ち、燃料計１１ａ，速度計１１ｂ，回転計１１ｃ，水温計１１ｄが収納されている。速度計１１ｂ及び回転計１１ｃは、燃料計１１ａ及び水温計１１ｄよりも大きくなっており、燃料計１１ａ及び水温計１１ｄの間に配置されている。見返し部材９は、燃料計１１ａ，速度計１１ｂ，回転計１１ｃ，水温計１１ｄに対応する円形の開口９ａ，９ｂ，９ｃ，９ｄを有している。
各指示計器１１ａ，１１ｂ，１１ｃ，１１ｄは、文字板１２（表示板），バルブ１３（発光素子），導光部材１４，指針１５，ステッピングモータ１６（指針駆動手段）及び回路板１７を有している。文字板１２はポリカーボネート等の樹脂からなる透光性基板１２ａに、指標部１８に透過性インクからなる半透過層を印刷形成し、指標部１８を除いて黒色インクからなる遮光層１２ｂを印刷形成したものである。バルブ１３及び導光部材１４は文字板１２の後方に配置されており、指標部１８はバルブ１３の光により透過照明される。指針１５はステッピングモータ１６により回動され、文字板１２の指標部１８を指示する。バルブ１３の光は導光部材１４の反射面１４ａにより指針１５に導かれ、指針１５の指示部１９が光輝する。
【００１１】
２０は電界発光表示素子であり、この電界発光表示素子２０は速度計１１ｂの文字板１２の後方に配設されている。文字板１２には矩形の開口２１が形成されており、電界発光表示素子２０は開口２１に対応する位置に配置されている。電界発光表示素子２０の表示光は、開口２１及び透光性カバー１０を通過して運転者に達する。２２はケース体であり、このケース体２２で電界発光表示素子２０が保持されている。２３は可撓性配線部材であり、この可撓性配線部材２３によって電界発光表示素子２０の電極を回路板１７のコネクタ２４に接続している。
【００１２】
次に、図１及び図４乃至図６に基づいて、電界発光表示素子２０について詳述する。電界発光表示素子２０は、ガラス基板２５（透光性基板）の後面に、ＩＴＯからなる透明電極２６，絶縁層２７，有機層２８，アルミニウム（Ａｌ）等からなる金属電極２９を順次積層したものであり、金属電極２９の後側には封止ガラス３０が配設されている。封止ガラス３０は、紫外線硬化型の接着剤３０ａでガラス基板２５に固着されている。有機層２８は、少なくとも発光層があれば良いが、ホール輸送層，電子輸送層等があっても良い。
【００１３】
電界発光表示素子２０は、数値表示部３１及び単位表示部３２を有している。数値表示部３１は、日字形に配設された表示セグメント３３からなる６桁の数字表示部３４からなるものである。
透明電極２６は、リード部３４と、リード部３４の一端と連なるセグメント部３５と、リード部３４の他端と連なる陽極端子部３６と、陰極端子部３７とを有している。セグメント部３５は日字形に配設されており、このセグメント部３５に各々リード部３４が連設されている。リード部３４はガラス基板２５の一辺側に引き回されており、陽極端子部３６が連設されている。陽極端子部３６及び陰極端子部３７はガラス基板２５の一辺側に列状に配置されている。
【００１４】
絶縁層２７は、透明電極２６のセグメント部３５の周縁部と若干重なるように形成されており、表示セグメント３３に対応する箇所を除いて、ガラス基板２５の略全範囲に設けられている。金属電極２９はガラス基板２５の略全範囲に設けられており、陰極端子部３７に接続されている。
電界発光表示素子２０の金属電極２９は、文字板１２の開口２１よりも広い領域に形成されている。つまり、金属電極２９の横幅Ｗ１は、開口２１横幅Ｗ２よりも大きくなっている。また、金属電極２９の縦幅Ｗ３は、開口２１の縦幅Ｗ４よりも大きくなっている。
【００１５】
図７は比較例を示す図である。当該比較例は、文字板３９が相違するのみであり、他の構成は第一実施形態と同様である。
文字板３９は、電界発光表示素子２０の表示光が通過する矩形の透過部４０を有している。文字板３９は、ポリカーボネート等の樹脂からなる透光性基板３９ａに、指標部に半透過層を印刷形成し、指標部及び透過部４０を除いて遮光層３９ｂを印刷形成したものである。
電界発光表示素子２０の金属電極２９は、透過部４０よりも広い領域に形成されている。つまり、金属電極２９の横幅Ｗ１は、透過部４０の横幅Ｗ２よりも大きく、金属電極２９の縦幅は、透過部４０の縦幅よりも大きい。
【００１６】
図８乃至図１０は第二実施形態を示す図である。第二実施形態は、見返し部材４１が相違するのみであり、他の構成は第一実施形態と同様であるので、同一の箇所には同一の符号を付し、その詳細な説明を省略する。
見返し部材４１は、燃料計１１ａ，速度計１１ｂ，回転計１１ｃ，水温計１１ｄに対応する開口４１ａ，４１ｂ，４１ｃ，４１ｄ（第二の開口）と、電界発光表示素子２０に対応する開口４１ｅとを有している。
電界発光表示素子２０の金属電極２９は、見返し部材４１の開口４１ｅよりも広い領域に形成されている。つまり、金属電極２９の横幅Ｗ１は、開口４１ｅ横幅Ｗ２よりも大きくなっている。また、金属電極２９の縦幅は、開口４１ｅの縦幅Ｗ４よりも大きくなっている。
【００１７】
各実施形態によれば、開口２１，４１ｅは、電界発光表示素子２０の金属電極２９より狭くなっているため、金属電極２９が形成されていない領域（電界発光表示素子２０の周囲）が、開口２１，４１ｅを有する表示板１２または見返し部材４１で隠され、視認される範囲では電界発光表示素子２０が一様な色調に見えるため、見栄えが悪くなる虞がない。
なお、各実施形態の電界発光表示素子２０は、セグメント型の表示素子であったが、ドットマトリクス型の電界発光表示素子であっても良い。また、指針駆動手段はステッピングモータ１６であったが、例えば交差コイル型ムーブメントであっても良い。また、発光素子はバルブ１３であったが、例えば発光ダイオードや冷陰極管であっても良い。
【００１８】
【発明の効果】
また、本発明は、透光性基板と透明電極と発光層と金属電極とを有する電界発光表示素子と、前記電界発光表示素子の前方に配設された表示板と前記表示板を指示する指針と前記指針を回動させる指針駆動手段とを有する指示計器と、を備えた表示装置であって、前記指示計器の前記表示板は、前記電界発光表示素子が発した光が通過する開口を有すると共に、前記電界発光表示素子の前記金属電極は、前記開口より広い領域に形成されているものであり、金属電極が形成されていない領域が表示板で隠され、電界発光表示素子が一様な色調に見えるため、見栄えが悪くなる虞がない。
【００１９】
また、本発明は、透光性基板と透明電極と発光層と金属電極とを有する電界発光表示素子と、前記電界発光表示素子の前方に配設された見返し部材と、表示板と前記表示板を指示する指針と前記指針を回動させる指針駆動手段とを有する指示計器と、を備えた表示装置であって、前記見返し部材は、前記電界発光表示素子が発した光が通過する開口を有すると共に、前記電界発光表示素子の前記金属電極は、前記開口より広い領域に形成されているものであり、金属電極が形成されていない領域が見返し部材で隠され、電界発光表示素子が一様な色調に見えるため、見栄えが悪くなる虞がない。
【図面の簡単な説明】
【図１】    本発明の第一実施形態を示す要部拡大断面図。
【図２】    同上実施形態を示す表示装置の断面図。
【図３】    同上実施形態を示す表示装置の正面図。
【図４】    同上実施形態を示す電界発光表示素子の正面図。
【図５】    同上実施形態を示す電界発光表示素子の拡大図。
【図６】    同上実施形態を示す電界発光表示素子の分解斜視図。
【図７】    比較例を示す要部拡大断面図。
【図８】    本発明の第二実施形態を示す要部拡大断面図。
【図９】    同上実施形態を示す表示装置の断面図。
【図１０】  同上実施形態を示す表示装置の正面図。
【図１１】  従来例を示す電界発光表示素子の正面図。
【図１２】  同上従来例を示す電界発光表示素子の要部拡大断面図。
【符号の説明】
１１ｂ  指示計器
１２    文字板（表示板）
１５    指針
１６    ステッピングモータ（指針駆動手段）
２０    電界発光表示素子
２１    開口
２５    ガラス基板（透光性基板）
２６    透明電極
２９    金属電極
４０    透過部
４１    見返し部材
４１ｅ  開口
【図１】
0003692925.tif 000002
【図２】
0003692925.tif 000003
【図３】
0003692925.tif 000004
【図４】
0003692925.tif 000005
【図５】
0003692925.tif 000006
【図６】
0003692925.tif 000007
【図７】
0003692925.tif 000008
【図８】
0003692925.tif 000009
【図９】
0003692925.tif 000010
【図１０】
0003692925.tif 000011
【図１１】
0003692925.tif 000012
【図１２】
0003692925.tif 000013